(57)【要約】【課題】安価な金型を用いて、より小型化したレンズ鏡筒を提供する。【解決手段】光軸５の中心と鏡筒内面２ａとの距離Ｈと、前玉レンズとズームレンズ８が最も離れたときの面間距離Ｌと、前玉レンズに入射する不要光である入射光Ｒｉの入射角θとが、Ｈ＜tanθ×（Ｌ／２）の関係式を満足するようになし、前記鏡筒内面２ａに、ズームレンズの直径Ｄに対して０．７Ｄの幅を有し且つ中央谷部１２ａの両側に傾斜部１２ｂが形成されて入射光Ｒｉを反射させる略Ｖ字状の反射溝１２を光軸方向で形成し、両側の各傾斜部１２ｂを、谷部寄りの内側に形成されて傾斜角が２０度の第１傾斜面２１と、外側に形成されて傾斜角が７５度の第２傾斜面２２とから構成したものである。【選択図】      図２
2005181771.tif 000002
【特許請求の範囲】
【請求項１】
前方レンズ部と、この前方レンズ部により撮影された被写体像をズームするためにズームレンズ部を光軸方向で移動自在に収納したレンズ鏡筒であって、
上記光軸の中心と鏡筒内面との距離Ｈと、前記前方レンズ部と前記ズームレンズ部が最も離れたときの面間距離Ｌと、被写体側から前記前方レンズ部に入射する不要光の入射角θとが、Ｈ＜tanθ×（Ｌ／２）の関係式を満足するようになし、
前記鏡筒内面に、前記ズームレンズの直径Ｄに対して０．６Ｄ以上の幅を有し且つ中央谷部の両側に傾斜部が形成されて入射光を反射させる略Ｖ字状の反射溝を光軸方向で形成し、
前記両側の各傾斜部を、谷部寄りの内側に形成されて傾斜角が小さい第１傾斜面と、外側に形成されて傾斜角が大きい第２傾斜面とから構成したことを特徴とするレンズ鏡筒。
【請求項２】
第１傾斜面の傾斜角を１５〜２５度の範囲にするとともに、第２傾斜面の傾斜角を５０〜８０度の範囲とすることを特徴とする請求項１に記載のレンズ鏡筒。
【請求項３】
前方レンズ部と、この前方レンズ部により撮影された被写体像をズームするためにズームレンズ部を光軸方向で移動自在に収納したレンズ鏡筒であって、
上記光軸の中心と鏡筒内面との距離Ｈと、前記前方レンズ部と前記ズームレンズ部が最も離れたときの面間距離Ｌと、被写体側から前記第１レンズ部に入射する不要光の入射角θとが、Ｈ＜tanθ×（Ｌ／２）の関係式を満足するようになし、
前記鏡筒内面に、前記ズームレンズの直径Ｄに対して０．６Ｄ以上の幅を有し且つ中央谷部の両側に傾斜部が形成されて入射光を反射させる略Ｖ字状の反射溝を光軸方向で形成し、
前記両側の各傾斜部を、谷部寄り側から外側に向って傾斜角が順次大きくされた第１〜第３傾斜面とから構成したことを特徴とするレンズ鏡筒。
【請求項４】
第１傾斜面の傾斜角を１５〜２５度の範囲に、第２傾斜面の傾斜角を４５〜７０度の範囲、第３傾斜面の傾斜角を５０〜８０度の範囲とすることを特徴とする請求項３に記載のレンズ鏡筒。
【請求項５】
第２傾斜面と第３傾斜面の間に、平面部を設けたことを特徴とする請求項３または４に記載のレンズ鏡筒。
【請求項６】
ズームレンズ部の位置を検出するために当該ズームレンズ部の保持枠に形成された突起部を反射溝内を移動させるように構成したことを特徴とする請求項３乃至５のいずれか一項に記載のレンズ鏡筒。
【請求項７】
反射溝に隣接する位置で、鏡筒の内側に突出するとともにその内側の表面が、Ｈ＜tanθ×（Ｌ／２）の関係式を満足するような凹状部を設け、且つ前記凹状部の内側の表面に、傾斜角が３０度以下にされた傾斜面を形成したことを特徴とする請求項３乃至６のいずれか一項に記載のレンズ鏡筒。
【発明の詳細な説明】
【技術分野】
【０００１】
本発明は、ビデオカメラや電子スチルカメラなどに用いられる可変焦点機能を有するレンズ鏡筒に関するものである。
【背景技術】
【０００２】
従来におけるレンズ鏡筒の構成を、図７および図８に基づき説明する。図７は従来のレンズ鏡筒の縦断面図、図８はレンズ鏡筒の要部を示す縦断面図である。
図７に示すように、筒状の前鏡筒１０１には前玉レンズ１０２が固定されるとともに、この前鏡筒１０１に接続された主鏡筒１０３の後部には固定レンズ１０４が前記前玉レンズ１０２の光軸１０５上に位置するように固定されている。前記前玉レンズ１０２と前記固定レンズ１０４との間には、ズーム枠１０６に保持されてズーム機能（変倍機能）を備えたズームレンズ１０７が、前記光軸１０５上を移動調整可能に配置されている。前記主鏡筒１０３の後方に後鏡筒１０８が設けられるとともに、この後鏡筒１０８内には、フォーカス枠１０９に保持された像面変動補正機能を備えたフォーカスレンズ１１０が前記光軸１０５上を移動調整可能に配置されている。さらに、その後方に、被写体像を撮像する撮像素子（図示せず）が固定される。
【０００３】
そして、前記主鏡筒１０３の内壁面には、フレアまたはゴースト（以下、フレア等と称す）の原因となる鏡筒内面での光の反射を防止するために、遮光溝１１１が形成されている。
【０００４】
なお、フレア等の原因となる鏡筒内面での光の反射とは、光軸１０５とθなる角度を持ち主鏡筒１０３の内面に到達する入射光１１２が前記主鏡筒１０３の内面にて反射し、その反射光が前記ズームレンズ１０７を通過した後、最終的に撮像素子へと至る現象をいう。
【０００５】
ところで、図８に示すように、前記遮光溝１１１は鋸刃状に形成されており、入射光１１２の一部１１２ａが前記前玉レンズ１０２側に反射することで、フレア等の発生を防止することができる。しかし、前記遮光溝１１１が形成されている前記主鏡筒１０３は樹脂成型で形成されることから、鋸刃状の頂点部を完全な鋭角にすることができない。
【０００６】
このため、入射光１１２の残り１１２ｂについては、ズームレンズ１０７側に反射してフレア等が発生する。このことは、前記遮光溝１１１と光軸１０５との距離が小さいほど顕著になる。すなわち、前記光軸１０５と遮光溝１１２との距離をＨ、前記前玉レンズ１０２と前記ズームレンズ１０７との面間距離をＬ、被写体側から前記前玉レンズ１０２に入射する入射光１１２の入射角をθとすると、Ｈ≧tanθ×（Ｌ／２）であれば遮光溝１１１がなくてもフレア等が発生しなくなる。
【０００７】
従来の場合では、例えばＬ＝１７ｍｍ、θ＝５５°にされており、したがって遮光溝を不要とするためには、光軸１０５と鏡筒内面との距離Ｈが１２．１ｍｍ以上が要求されることになる。
【特許文献１】特開２００３−１７７２９３
【発明の開示】
【発明が解決しようとする課題】
【０００８】
しかし、小型化を図るために、光軸１０５と鏡筒内面との距離Ｈを、例えば９．３ｍｍにすると、遮光溝が必要になるとともに、９．３ｍｍが１２．１ｍｍに較べて小さすぎるため、上述した遮光溝の頂点部での反射がフレア等の発生原因となる。
【０００９】
ところで、θは前玉レンズを通過し鏡筒内面で反射してズームレンズを通過し得る光線の入射角を表しており、このθが小さいと鏡筒内面では反射せず、また大きすぎると前玉レンズでの屈折によって鏡筒内面への反射角が垂直に近くなることで、フレア等の発生の問題がなくなる。
【００１０】
しかし、この角度は、前玉レンズの光学設計によって決定されるもので、通常は４５度〜６０度の範囲にされており、ここでは、５５度にされている。また、前記ズームレンズ１０７が前記前玉レンズ１０２から離れるほど、反射光がズームレンズ１０７を通過しやすくなることから、前記面間距離Ｌはズームレンズ１０７の可動範囲のなかで最も大きい値にされている。
【００１１】
また、ビデオカメラにレンズ鏡筒を搭載するに際して、レンズ鏡筒の周辺に他の構成部材を配置する必要が生じる場合がある。この場合、レンズ鏡筒の外周に凹状部を設けて対応することになるが、鏡筒内面には逆に凸状部が生じて、内面反射が問題となる光軸中心との距離Ｈが小さくなってしまい、これによっても、フレア等の発生の問題が生じる。
【００１２】
しかしながら、前記従来の構成では、さらなるフレア等の対策を必要とするため、絞り機構を追加して不要光をカットする、若しくは別部材によって不要光を拡散する、または鏡筒内面を光軸から遠ざけるといった方法などを採用する必要が生じ、小型化への制約が生じるとともにコスト高に繋がるという課題を有していた。また、筒状の鏡筒内面に遮光溝を金型によって形成する場合、金型を特殊な構造とする必要があり、したがって小型化が困難になるとともに金型費用が高くつくという課題もある。
【００１３】
そこで、本発明は、上記課題を解決するもので、鏡筒内面に金型の抜き方向に制約されない形状の溝を形成することによって、金型の構成をシンプルにして、すなわち安価な金型を用いて、より小型化したレンズ鏡筒を提供することを目的とする。
【課題を解決するための手段】
【００１４】
上述の課題を解決するために、本発明の請求項１に係るレンズ鏡筒は、前方レンズ部と、この前方レンズ部により撮影された被写体像をズームするためにズームレンズ部を光軸方向で移動自在に収納したレンズ鏡筒であって、
上記光軸の中心と鏡筒内面との距離Ｈと、前記前方レンズ部と前記ズームレンズ部が最も離れたときの面間距離Ｌと、被写体側から前記前方レンズ部に入射する不要光の入射角θとが、Ｈ＜tanθ×（Ｌ／２）の関係式を満足するようになし、
前記鏡筒内面に、前記ズームレンズの直径Ｄに対して０．６Ｄ以上の幅を有し且つ中央谷部の両側に傾斜部が形成されて入射光を反射させる略Ｖ字状の反射溝を光軸方向で形成し、
前記両側の各傾斜部を、谷部寄りの内側に形成されて傾斜角が小さい第１傾斜面と、外側に形成されて傾斜角が大きい第２傾斜面とから構成したものである。
【００１５】
また、請求項２に係るレンズ鏡筒は、請求項１に記載の鏡筒において、第１傾斜面の傾斜角を１５〜２５度の範囲にするとともに、第２傾斜面の傾斜角を５０〜８０度の範囲としたものである。
【００１６】
また、請求項３に係るレンズ鏡筒は、前方レンズ部と、この前方レンズ部により撮影された被写体像をズームするためにズームレンズ部を光軸方向で移動自在に収納したレンズ鏡筒であって、
上記光軸の中心と鏡筒内面との距離Ｈと、前記前方レンズ部と前記ズームレンズ部が最も離れたときの面間距離Ｌと、被写体側から前記第１レンズ部に入射する不要光の入射角θとが、Ｈ＜tanθ×（Ｌ／２）の関係式を満足するようになし、
前記鏡筒内面に、前記ズームレンズの直径Ｄに対して０．６Ｄ以上の幅を有し且つ中央谷部の両側に傾斜部が形成されて入射光を反射させる略Ｖ字状の反射溝を光軸方向で形成し、
前記両側の各傾斜部を、谷部寄り側から外側に向って傾斜角が順次大きくされた第１〜第３傾斜面とから構成したものである。
【００１７】
また、請求項４に係るレンズ鏡筒は、請求項３に記載のレンズ鏡筒における第１傾斜面の傾斜角を１５〜２５度の範囲に、第２傾斜面の傾斜角を４５〜７０度の範囲、第３傾斜面の傾斜角を５０〜８０度の範囲としたものである。
【００１８】
また、請求項５に記載のレンズ鏡筒は、請求項３または４に記載のレンズ鏡筒における第２傾斜面と第３傾斜面の間に、平面部を設けたものである。
また、請求項６に係るレンズ鏡筒は、請求項３乃至５のいずれかに記載のレンズ鏡筒におけるズームレンズ部の位置を検出するために当該ズームレンズ部の保持枠に形成された突起部を反射溝内を移動させるように構成したものである。
【００１９】
さらに、請求項７に係るレンズ鏡筒は、請求項３乃至６のいずれかに記載のレンズ鏡筒における反射溝に隣接する近傍位置で、鏡筒の内側に突出するとともにその内面が、Ｈ＜tanθ×（Ｌ／２）の関係式を満足するような凹状部を設け、且つ前記凹状部の表面に、傾斜角が３０度以下にされた傾斜面を形成したものである。
【発明の効果】
【００２０】
前述した各レンズ鏡筒の構成によれば、鏡筒内に入射した光は、反射溝に設けられた傾斜面または凹状部の内側の表面に設けられた傾斜面により、ズームレンズ部の外側に反射されるため、光軸と鏡筒内面との距離Ｈを遮光溝が不要となる遮光対策限界距離（tanθ×（Ｌ／２））よりも小さくした場合でも、光軸方向に沿う略Ｖ字形状の簡単な反射溝を形成するだけで、フレア・ゴーストなどの発生を防止することができる。すなわち、安価な金型を用いて且つ小型化を図り得るレンズ鏡筒を提供することができる。
【発明を実施するための最良の形態】
【００２１】
以下、金型の構成を簡単（シンプル）にして、すなわち安価な金型を用いて、より小型化し得るレンズ鏡筒の実施の形態について説明する。なお、本実施の形態に係るレンズ鏡筒は、例えばビデオカメラ、電子スチルカメラなどに用いられて可変焦点機構を有するものである。
［実施の形態１］
まず、本発明の実施の形態１に係るレンズ鏡筒を、図１〜図３に基づき説明する。図１はレンズ鏡筒の縦断面図、図２および図３は鏡筒内面の要部横断面図である。
【００２２】
図１に示すように、このレンズ鏡筒１は、主鏡筒２と、この主鏡筒２の前端に設けられた前鏡筒３と、主鏡筒２の後端に設けられた後鏡筒４とから構成され（これら各鏡筒を纏めて、または主鏡筒を、鏡筒本体と称してもよい）、前鏡筒３には前玉レンズ（前方レンズ部の一例で、前玉レンズ群であってもよい）６が取り付けられ、主鏡筒２内で且つ光軸５方向で移動自在に配置されたズーム枠（保持枠の一例）７にズームレンズ（ズームレンズ部の一例で、ズームレンズ群であってもよい）８が取り付けられ、また主鏡筒２の後端には固定レンズ（後方レンズ部の一例で、固定レンズ群であってもよい）９が取り付けられ、さらに後鏡筒４内で且つ光軸５方向で移動自在に配置されたフォーカス枠１０にフォーカスレンズ（フォーカスレンズ部の一例で、フォーカスレンズ群であってもよい）１１が取り付けられている。なお、この後鏡筒４の後方には、撮像素子（図示せず）などが配置されている。
【００２３】
そして、前記主鏡筒２の下部に形成された水平面である鏡筒内面（下部内面とも称す）２ａの光軸５直下の中央部には、少なくとも、ズームレンズ８の移動範囲（前玉レンズとの面間距離Ｌに相当）において、当該主鏡筒２内に入射した入射光Ｒｉを反射するための反射溝１２が形成されている。
【００２４】
ここで、前記主鏡筒２における主要寸法について簡単に説明すると、前玉レンズ６とズームレンズ８との面間距離Ｌが１４．５ｍｍに、被写体側から前玉レンズ２に入射する不要光である入射光Ｒｉの入射角θが５５度にされている。
【００２５】
したがって、光軸５中心と鏡筒内面２ａとの距離Ｈが１０．３ｍｍ（tanθ×Ｌ／２）以上であれば背景技術の箇所にて説明したように遮光溝が不要となる。以下、（tanθ×Ｌ／２）にて表される距離を遮光対策限界距離とも称する。
【００２６】
これに対し、本実施の形態１に係るレンズ鏡筒１においては、小型化のために距離Ｈが７．３ｍｍと短くされており、遮光溝を設けたとしても、遮光溝頂点での反射によるフレア・ゴースト（以下、フレア等と称す）が発生するレベルであり、これを避けるために反射溝１２が設けられている。
【００２７】
前記反射溝１２は、図２に示すように、その断面形状において略Ｖ字形状に且つその中央谷部（光軸５の下方への投影線に沿った谷底部でもある）１２ａを挟んでその両側の傾斜部１２ｂは互いに対称形状に形成されており、その幅Ｗについては、ズームレンズ８の有効径Ｄに対し０．６Ｄ以上の幅、例えば０．７Ｄの幅にされている。
【００２８】
そして、この反射溝２の両側に形成される各傾斜部１２ｂは、中央谷部１２ａ寄りの内側に形成されて光軸５と平行な水平面（光軸５から中央谷部１２ａに降ろされた垂線に直交する平面であり、鏡筒内面２ａとも平行な面でもある）Ｐに対する傾斜角α１が小さい第１傾斜面２１と、その外側に形成されて傾斜角α２が大きい第２傾斜面２２とから構成されている。
【００２９】
詳しく説明すれば、前記第１傾斜面２１の傾斜角α１は１５〜２５度の範囲（例えば２０度）にされるとともに、第２傾斜面２２の傾斜角α２は５０〜８０度の範囲（例えば７５度）にされており、また前記各面同士（２１と２２，２２と２ａ）の接続部は角部にされて、極力、丸みが付かないようにされている。これは、接続部での入射光Ｒｉの反射を抑えることにより、反射光Ｒｏがズームレンズ８を通過しないようにするためである。
【００３０】
すなわち、図１において、光軸５をＸ軸、その垂直方向（鉛直方向）をＹ軸とすると、Ｘ−Ｙ平面で考えると反射光Ｒｏがズームレンズ８を通過することは避けられない。そこで、図２に示すような反射溝１２を形成して、前記Ｘ軸およびＹ軸に垂直なＺ軸を含むＹ−Ｚ平面内で反射方向（反射光Ｒｏ）がずれることにより、反射光Ｒｏがズームレンズ８を通過しないようにするものである。
【００３１】
ここで、前記反射溝１２による作用および効果を、図３に基づき説明する。
例えば、入射光Ｒｉが鏡筒内面２ａに到達すると、その反射光Ｒo１はズームレンズ８の右側（前鏡筒側から見て右側）を通過することになる。
【００３２】
また、入射光Ｒｉが第２傾斜面２２に到達すると、その反射光Ｒo２は隣の第１傾斜面２１に到達し、さらに反対側の第１傾斜面２１で反射して、ズームレンズ８の左側（前方から見て左側）を通過することになる。
【００３３】
また、入射光Ｒｉが第１傾斜面２１に到達すると、その反射光Ｒo３およびＲo４はズームレンズ８の左側を通過する。
以上は、右側の傾斜部１２ｂ（傾斜面２１，２２）に入射光Ｒｉが到達した場合について説明したが、傾斜部１２ｂは対称に配置されていることから、左側の傾斜部１２ｂに入射光Ｒｉが到達した場合には、その反射光Ｒoはズームレンズ８の右側を通過する。すなわち、どの場所に入射光すなわち不要光Ｒｉが到達しても、その反射光Ｒoはズームレンズ８の外側を通過することになる。
【００３４】
また、上記においては、入射光Ｒｉが前玉レンズ６の光軸５付近を通過する場合について説明したが、実際には、前玉レンズ６の全面を通過する入射光があるため、反射光の通過線とズームレンズ８の有効径との間に距離的余裕ができるような傾斜面（傾斜角）にされている。
【００３５】
さらに、主鏡筒２における鏡筒内面２ａについては、前記反射溝１２を含めた全域に、前玉レンズ６を通して入射する入射光を拡散させるために、金型コアブロックの表面によるシボ処理を施すことが可能である。すなわち、前記反射溝１２と併せて、より一層のフレア等の発生防止効果を期待することができる。
【００３６】
本実施の形態１の構成によると、鏡筒内に且つ前玉レンズ６の光軸５付近に入射した不要光は、反射溝１２の各傾斜面２１，２２およびその両側に形成された水平面である鏡筒内面１２ａにてズームレンズ８の外側に反射されるため、光軸５と鏡筒内面２ａとの距離Ｈを遮光溝が不要となる遮光対策限界距離（tanθ×Ｌ／２）よりも小さくした場合でも、光軸５方向に沿う簡単な略Ｖ字形状の反射溝を形成するだけで、フレア等の発生を防止することができる。
［実施の形態２］
次に、本発明の実施の形態２に係るレンズ鏡筒を、図４に基づき説明する。
【００３７】
図４はレンズ鏡筒の反射溝部分の横断面図である。
上述した実施の形態１と異なる箇所は反射溝の構成であるため、本実施の形態２においてはこの部分に着目して説明するとともに、実施の形態１と同一の構成部材については同一の番号を付してその説明を省略する。
【００３８】
図４に示すように、本実施の形態２に係るレンズ鏡筒３１に設けられる反射溝３２は、その断面形状において略Ｖ字形状に且つその中央谷部（光軸５の下方への投影線に沿った谷底部でもある）３２ａを挟んでその両側の傾斜部３２ｂは互いに対称形状に形成されており、その幅Ｗについては、ズームレンズ８の有効径Ｄに対し０．６Ｄ以上の幅、例えば１．１Ｄの幅にされている。
【００３９】
そして、この反射溝３２の両側に形成される各傾斜部３２ｂは、中央谷部３２ａ寄りの内側に形成されて光軸５と平行な水平面（光軸５から中央谷部３２ａに降ろされた垂線に直交する平面であり、主鏡筒の鏡筒内面３３と平行な面でもある）Ｐに対する傾斜角α１が小さくされた第１傾斜面４１と、その外側に隣接して形成されて傾斜角α２が大きくされた第２傾斜面４２と、その外側に狭い幅の中間水平面（平面部）４３を介して隣接するように形成されて傾斜角α３がより大きくされた第３傾斜面４４とから構成されている。
【００４０】
詳しく説明すると、前記第１傾斜面４１の傾斜角α１は１５〜２５度の範囲（例えば２０度）にされ、第２傾斜面４２の傾斜角α２は４５〜７０度の範囲（例えば５５度）にされるとともに、第３傾斜面４３の傾斜角α３は５０〜８０度の範囲（例えば７５度）にされており、また前記各面同士（４１と４２，４２と４３，４３と４４，４４と３３）の接続部は角部にされて、極力、丸みが付かないようにされている。
【００４１】
このように、本実施の形態２においては、レンズ鏡筒３１の反射溝３２の傾斜
部３２ｂをより細かく傾斜させて改善したので、前記前玉レンズ６の中心付近を通過する不要光だけでなく、前玉レンズ６の全域を通過するすべての不要光に対応することができ、したがって鏡筒内面３３で反射しズームレンズ８を通過する反射光の通過線とズームレンズ８の有効径との間の距離的余裕を増加させることができるので、フレア等の発生防止効果を一層向上させることができる。
【００４２】
この対策により、上述した実施の形態１の効果に加えて、実施の形態１で説明した鏡筒内面のシボ処理も不要となるため、金型費用のさらなる低減化を図ることができる。
［実施の形態３］
次に、本発明の施の形態３に係るレンズ鏡筒を、図５に基づき説明する。
【００４３】
図５はレンズ鏡筒の反射溝部分の横断面図である。
なお、上述した実施の形態２と異なる箇所は、ズームレンズを保持するズーム枠の部分であるため、本実施の形態３においては、この部分に着目して説明するとともに、上述した実施の形態２と同一の構成部材については、同一の番号を付してその説明を省略する。
【００４４】
図５に示すように、本実施の形態３に係るレンズ鏡筒５１内にその光軸５方向で移動自在に設けられてズームレンズ８を保持しているズーム枠５２に当該ズーム枠５２が移動した場合にその位置を検出するための突起部５３が、反射溝３２内に突出するように設けられたものである。
【００４５】
勿論、この突起部５３は、ズーム枠５２が光軸５方向に移動した際に、反射溝３２の両傾斜部３２ｂに接触しないような形状に、すなわちズームレンズ８の移動範囲を制約するような形状にはされていない。また、前記突起部５３は、所定位置に設けられたフォトカプラにおける光を遮断することで、前記ズームレンズ８の位置を検出するためのものである。なお、従来の構成では、位置検出用の突起部を案内するための溝が別の場所に形成されていた。
【００４６】
本実施の形態３の構成によると、レンズ鏡筒５１の内面反射によるフレア等の発生を防止するための反射溝３２を、ズームレンズ８の位置検出用の突起部５３を案内するための溝と兼用したので、レンズ鏡筒５１の小型化を図ることができるとともに、このレンズ鏡筒５１の金型構造についても簡単（シンプル）に、すなわちコストの低減化を図ることができる。
［実施の形態４］
次に、本発明の実施の形態４に係るレンズ鏡筒を、図６に基づき説明する。
【００４７】
図６はレンズ鏡筒の横断面図である。
上述した実施の形態３においては、ズームレンズを保持するズーム枠に形成される位置検出用の突起部を反射溝内で移動させるものについて説明したが、本実施の形態４においては、反射溝以外の部分にて、レンズ鏡筒の内側に突出するような凹状部が設けられたものについて説明する。
【００４８】
なお、本実施の形態４においては、この凹状部の部分に着目して説明するとともに、一応、新たな番号を付して説明するが、ここで説明しない他の構成部材については、上述した各実施の形態と同様であり、その説明を省略する。
【００４９】
すなわち、図６に示すように、レンズ鏡筒６１における主鏡筒６２の例えば右下側（ズームレンズに向って右側）に、他の部品、またはレンズ鏡筒以外の構成部材を配置し得るように、主鏡筒６２の反射溝６３の右上部分の側壁部が内方に突出するように凹状部６４が形成されている。
【００５０】
この凹状部６４については、主鏡筒６２の内側から見ると凸状部が形成されていることになり、凸状部として見た場合の外面に相当する鏡筒側内面（鏡筒内から見れば、凹状部の内側の表面である）６４ａと光軸６５との距離Ｈが、当然、遮光対策限界距離（tanθ×Ｌ／２）より小さくなっているため、フレア等の発生原因となる。
【００５１】
そこで、この凹状部６４の鏡筒側内面６４ａには、入射光Ｒｉをズームレンズ６６の外側に反射させるために、その傾斜角β１が３０度以下（０〜３０度の範囲）にされた側部傾斜面７１を形成するとともに、この側部傾斜面７１と反射溝６３側の平面、すなわち鏡筒内面６７との間に側部垂直面７２を形成したものである。勿論、この場合も、各面同士（傾斜面同士、傾斜面と平面同士）の接続部は角部にされて、極力、丸みが付かないようにされている。なお、前記傾斜角β１の基準平面（角度の基準面）は、上述した各実施の形態と同様に、光軸６５から反射溝６３の中央谷部に降ろされた垂線に直交する平面であり、鏡筒内面６７と平行な面でもある。
【００５２】
この構成において、前玉レンズより入射した不要光である入射光Ｒｉは、反射溝６３にて反射され、その反射光Ｒｏはズームレンズ６６の外側に反射され、さらに内側に突出した凹状部６４の内側の表面においても、入射光Ｒｉは、同じく、側部傾斜面７１および側部垂直面７２にて反射され、その反射光Ｒｏはやはりズームレンズ６６の外側を通過する。
【００５３】
このように、レンズ鏡筒６１に他の構成部材を配置するための凹状部６４が形成されている場合でも、当該凹状部６４の内側の表面に、反射光Ｒｏがズームレンズ６６の外側を通過するように反射させる側部傾斜面７１および側部垂直面７２を形成したので、フレア等の発生を防止することができる。
【００５４】
本実施の形態４の構成によると、例えばレンズ鏡筒の外側に配置される他の構成部材との干渉を回避するために、鏡筒内面に突出する凹状部を形成した場合でも、比較的簡単な構成で、フレア等の発生を防止することができる。すなわち、必要に応じてレンズ鏡筒の外形を適宜変形する（削る）ことが可能となり、レンズ鏡筒そのものの小型化だけでなく、ビデオカメラなどに搭載する際の相手方部品との干渉を容易に回避することができ、したがってビデオカメラなどの小型化に貢献することができる。
【００５５】
勿論、この実施の形態４に係る反射溝６３を、上述した実施の形態３において説明したズーム枠５２の突起部５３を移動させることができる。
【産業上の利用可能性】
【００５６】
上述したレンズ鏡筒の構成によれば、鏡筒内面の反射によるフレア・ゴーストなどの発生を防止しつつレンズ鏡筒の外観形状を小さくすることができるとともに、金型構造が簡単（シンプル）で安価な金型で済むという効果が得られ、例えばビデオカメラ、電子スチルカメラなどに用いられる可変焦点のレンズ鏡筒に有用である。
【図面の簡単な説明】
【００５７】
【図１】本発明の実施の形態１におけるレンズ鏡筒の縦断面図である。
【図２】図１のＡ−Ａ断面図である。
【図３】図１のＡ−Ａ断面相当図であって、反射光を示す図である。
【図４】本発明の実施の形態２におけるレンズ鏡筒の要部横断面図である。
【図５】本発明の実施の形態３におけるレンズ鏡筒の横断面図である。
【図６】本発明の実施の形態４におけるレンズ鏡筒の横断面図である。
【図７】従来例におけるレンズ鏡筒の縦断面図である。
【図８】従来例のレンズ鏡筒における遮光溝の要部断面図である。
【符号の説明】
【００５８】
１      レンズ鏡筒
２      主鏡筒
２ａ    鏡筒内面
３      前鏡筒
５      光軸
６      前玉レンズ
７      ズーム枠
８      ズームレンズ
１２      反射溝
１２ａ    中央谷部
１２ｂ    傾斜部
２１      第１傾斜面
２２      第２傾斜面
３１      レンズ鏡筒
３１ａ    鏡筒内面
３２      反射溝
３２ａ    中央谷部
３２ｂ    傾斜部
４１      第１傾斜面
４２      第２傾斜面
４３      中間水平面
４４      第３傾斜面
５１      レンズ鏡筒
５２      ズーム枠
５３      突起部
６１      レンズ鏡筒
６２      主鏡筒
６３      反射溝
６４      凹状部
６４ａ    鏡筒側内面
６５      光軸
６６      ズームレンズ
【図１】
2005181771.tif 000003
【図２】
2005181771.tif 000004
【図３】
2005181771.tif 000005
【図４】
2005181771.tif 000006
【図５】
2005181771.tif 000007
【図６】
2005181771.tif 000008
【図７】
2005181771.tif 000009
【図８】
2005181771.tif 000010